Podtech/llm-jp-corpus-v4-ja_patent huggingface dataset:
(57)【要約】　　　（修正有）【課題】現在市販されているファイルは多種多様な物があるが、用途も形式も実用書類を頁別にファイルするものです。しかし近年パソコンで絵を描くパソコンアート者が激増し、この作品をファイルする専用のものはありません。特に、日本の伝統絵画や詩歌の毛筆揮毫色紙などを、そのままファイルできるものはなく、作品の鑑賞や整理に困っています。【解決手段】先ず、伝統美の装丁を基本にし、完成された作品はそのままでファイルできること、組み絵や連作など作品本位でファイルでき鑑賞できることを条件としました。そこで、古来の折り本形式を基本にし本紙に小穴をつけ、この小穴を糊付け穴として作品本体の裏面に接着します。糊は極少量でありファイル物を痛めずファイル作品の位置合わせも簡単にできるものとしています。また、古来の折り本にはないブックケースをつけて作品の保護と、作品の検索の利便を整えます。【選択図】　図１
0003099620.tif 000002
【実用新案登録請求の範囲】
【請求項１】
　折り本の本文用紙に穴をつけその穴に着色した糊を充填しファイルする穴糊貼付式絵画色紙などの帯形ファイル本。
【考案の詳細な説明】
【考案の詳細な説明】
【技術分野】
【０００１】　本案は、絵本や詩歌本またスケッチや詩歌の揮毫ようとして使用されている折り本の本紙に穴を付け別の用紙を貼付できるようにしたファイル本に関するものです。
【背景技術】
【０００２】　従来、折り本は印刷した本文紙を帯状に張り合わせて製本した絵本などと、絵画や詩歌を揮毫するための本文が白紙の折り本が作られています。
　本案のように本文用紙をファイル用紙の用途にしたものはなくファイル紙貼付方法に糊穴を付けた折り本形式のファイルも折り本もありません。
【考案が解決しようとする課題】
【０００３】　従来の技術で述べた、折り本は従来の用途を満たす物として製作されていたので、本案の用途と異にします。近年パソコンの普及により、絵画も詩歌もパソコンに取り込みサイズも色彩も自由にできプリントもできます。
　しかし、これらのファイルは洋式の頁別のものです。絵画や詩歌のファイルは、作品を連続してファイルできないと作品の真価が得られず、鑑賞や作品の雰囲気つくりなどに欠ける点があり困っていました。新しい時代の新しい課題です。
【考案が解決するための手段】
【０００４】　上記のパソコン使用のブリント作品。別の用紙に描かれた絵画。色紙に揮毫した詩歌の作品などのが、そのままファイルでき鑑賞も連作により楽しむことができます。
　作品のファイルは誰でも簡単できる、ファイル本の本文用紙に糊穴をつけ穴の裏面から糊を付け貼付できる方式にして課題を解決しています。
【０００５】　この糊穴は小穴で良く、糊も少量であるため貼付した作品を痛める心配はなく、従来の両面接着テープのようにテーブの痕が透けて見えたり、曲がって貼ったときの苦労の心配はありません。糊を付けてから位置を正すことができ、万一曲がって貼っても小さい穴に極少量の糊を使うだけですから貼り直すことができます。
【０００６】　なお、貼り直し貼り代え用の予備の糊穴も設置してあり、効果的なファイルがでるようになっています。
【０００７】　なお、この糊穴は小穴であり極少量の糊であるため、糊の付着度合いを明確に確認する必要があります。そこで、糊を着色し色糊を使用し問題を解決しています。
【０００８】　また、この折り本ファイルにはブックケースが付けてあり、ファイル名の表示は書架に立てて見やすい「背文字部」に別用紙カードを差し込む方式に作られ、この題字書込カードも小穴糊止めになっています。従来の折り本にはブックケースは無いです。
【考案を実施するための最良の形態】
【０００９】　考案の実施の形態を図面により説明します。
図１，穴糊貼付式絵画色紙帯形ファイル本の見取り図です。
（１）．は「帯形ファイル本」を開いた見取り図です。
　　　　ａ，ｂ，ｃ，ｄ，ｅ，の面には、絵画や詩歌揮毫色紙などを貼ります。
　　　　Ａの点線と点線の幅は、ファイルした絵画や詩歌揮亳色紙などの厚みを予測した　　　　予備のスペースです。
　　　　Ｂは、「帯形ファイル本」の裏表紙です。
（２）．は、ブックケースを付けた「帯形ファイル本」の見取り図です。
　　　　Ａは、題字カードで、Ｂは題字カードを止める「糊穴」です。
図２，穴糊貼付式絵画色紙帯形ファイル本の「本紙」の見取り図です。
　（い）は帯形ファイル本の「おもて」になる「本紙」の平面図で、一枚が折り線を中にして各本紙とも二頁になっています。
　　　　▲２▼．▲３▼．▲４▼．は製本作業ようの符号です。
　（イ）は、糊を注入する穴で、この糊穴と製本符号を合わせて張り合わせ製本します。この（い）は「おもて」になります。
　（ロ）は、予備の糊穴で多数のファイルを可能にしています。また貼り直しなどにも使用できます。
　（ろ）は帯形ファイル本の「うら」になる「本紙」の平面図です。
　　　　一枚が折り線を中にして各本紙とも二頁になっています。
　　　　▲１▼．▲２▼．▲３▼．▲４▼．は製本作業ようの符号です。
　（イ）は、糊を注入する穴で、この糊穴と製本符号を合わせて裏に張り合わせ製本します。
　（ロ）は、予備の糊穴で多数のファイルを可能にしています。
【考案の効果】
【００１０】　本考案は上述のとおりであります。
【００１１】　絵画や詩歌などの揮毫色紙をそのままファイルして、作品集一冊の本が完成できる。日本伝統の折り本の形式と風格を活かした、穴糊式貼付帯形ファイルは事務実務書類のファイルでないファイルとして、現代アート者が必要としていたもので、特に和式アート者書家や詩歌人の大きな問題を解決し効果が上げられます。
【図面の簡単な説明】
【００１２】
【図１】穴糊貼付式絵画色紙帶形ファイル本の見取り図で、（１）はファイル紙を貼付する面を、（２）はブックケースの見取り図です。
【図２】穴糊貼付式絵画色紙帯形ファイル本の製本前の「本紙」の見取り図で、（い）は「おもて」になる本紙で、（ろ）は「うら」に貼る本紙です。
【符号の説明】
図１の（１）のＡはファイル紙の厚みを予測した予備スペース
　　　　　　　Ｂは表紙の裏面です。
　　　　　　　ａ，ｂ，ｃ，ｄ，ｅ，はファイルする用紙を貼付する面です。
　　　（２）はブックケースで、Ａは題字表示札、Ｂは貼付糊穴です
図２の（い）は製本前の「本紙」の「おもて」になる図で、（ろ）は「うら」に貼る「本　　　　　　紙」の図です。
　　　（イ）はファイル紙を貼付する糊穴で、（イ）は予備の糊穴。
　　　　　　▲１▼．▲２▼．▲３▼．▲４▼．は製本作業用の符号です。
【図１】
0003099620.tif 000003
【図２】
0003099620.tif 000004
(57)【要約】
【課題】本考案は、遺体を入れる棺である、通常病室から搬送される遺体は何の感染予防対策が行なわれないため、葬儀業者や遺族更には、葬儀参列者にも感染する可能性がある、それを防ぐものである。
【解決方法】密閉可能な棺（１）にバルブ（５）付き通気口（２）を付けたことにより、病室にて収めた遺体がフォルマリンガスにより滅菌されるまで、接触することが無いので感染の可能性が無くなった。
【選択図】図１
0003099619.tif 000002
【実用新案登録請求の範囲】
【請求項１】
２本のバルブ付き通気口（２）がある遺体を入れる棺（１）を通気性のない金属で製作し、ゴムシールによって密閉することによって病室以外に感染の可能性を無くす密閉式棺
【請求項２】
請求項１記載の通気口（２）の一方からフォルマリンガスを注入した一定時間放置し他方の通気口（２）からガスを排出することにより棺（１）内の感染菌を殺菌できる請求項１記載の密閉式棺
【考案の詳細な説明】
【考案の詳細な説明】
【技術分野】
【０００１】　この考案は感染の可能性のある遺体を入れる棺であり、滅菌作業を行なうことにより、感染の拡大を止めるものである。
【背景技術】
【０００２】　従来、生存している人体に関する感染予防はアルコールを筆頭に色々の方法が使用されているが、遺体に関しては全く感染防止の処置はなされていない。生体が死亡しても、体液や体内ガスに菌は生存するため木製の棺や滅菌処理のしていない遺体から感染の可能性は存在する。
【考案が解決しようとする技術分野】
【０００３】　感染の可能性のある遺体であっても医療従事者から葬儀業者や遺族に対して感染の可能性を指摘されることはほとんど無く、あったとしても防護する方法自体が無いため、葬儀業者や遺族及び参列者が感染の危険性を持っていた。また、感染したとしても感染経路を確認することができなかった。本考案は以上の問題点を解決し、感染の拡大を防ぐものである
【課題を解決するための手段】
【０００４】　現在の木製の棺を通気性のない金属で作る（１）棺と棺の蓋（３）とをゴムシール（４）を使って密閉する。棺にはバルブ（５）の付いた２本の通気口を取り付けフォルマリンガスを注入、排出できるようにする。
　本考案は、以上の構成よりなる遺体を滅菌できる棺である
【考案を実施するための最良の形態】
【０００５】　以下、本考案の実施の形態を説明する。
（イ）金属で一般的な木製棺と同じ大きさの棺にゴムシール（４）を埋め込む溝の付いた棺（１）を作る
（ロ）棺（１）に溝に入るふちをつける。
（ハ）棺（１）にバルブ付きの通気口（２）を貫通させて付ける。
　本考案は以上の構成よりなる。
　本考案を使用する場合は、棺（１）に遺体を入れ，蓋をして密閉し通気口（２）よりホルマリンガスを注入し８時間〜１２時間放置した後ホルマリンガスを排出する。
【考案の効果】
【０００６】　本考察を使用することにより病室内にて遺体を棺に入れた後滅菌が終わるまで一度も遺体に触れることは無いので感染の可能性は無くなる。
【図面の簡単な説明】
【図１】　本考案の斜視図
【図２】　本考案の腰部拡大の断面図
【図３】　本考案の腰部拡大の断面図
【符号の説明】
　（１）棺，　（２）通気口，　（３）棺の蓋，　（４）ゴムシール，　（５）バルブ
【図１】
0003099619.tif 000003
【図２】
0003099619.tif 000004
【図３】
0003099619.tif 000005
(57)【要約】
【課題】従来の残響時間調整機構では客席の壁面や天井面を直接、残響時間調整に使っていたため客席内の意匠は制約を受け、機構も複雑になり大幅な残響時間調整も困難であった。
【解決手段】ホール内の天井面にガイドレールを設置し、そのガイドレールに沿って上下移動するパイプに吸音カーテンを吊り、モーターにより吸音カーテンを畳み伸ばしする。又、吸音カーテンは複数設置し、その各々が独立して畳み伸ばしが出来、また任意の位置で畳み伸ばしを止めることが出来るようにする。吸音カーテンの下部には金属製ルーバーによる仕上面を設け、吸音カーテンが客席から直接見えないようにする。
【選択図】　図１
0003099618.tif 000002
【実用新案登録請求の範囲】
【請求項１】
ホール内の天井面にガイドレールを設置し、そのガイドレールに沿って上下移動するパイプに吸音カーテンを吊り、モーターにより簡単に吸音カーテンを畳み伸ばしできることを特徴とする昇降式残響時間調整システム。
【請求項２】
請求項１に記載の吸音カーテンの下部に金属製ルーバーによる仕上面を設ける事により、客席内の意匠を壊すことなく大面積の吸音面積の可変が可能なことを特徴とする昇降式残響時間調整システム。
【請求項３】
請求項１に記載の吸音カーテンを複数設置し、その各々が独立して畳み伸ばしが出来、また任意の位置で畳み伸ばしを止めることが出来ることにより細かな残響時間の調整が可能なことを特徴とする昇降式残響時間調整システム。
【考案の詳細な説明】
【技術分野】
【０００１】本考案は多目的ホールの残響時間を調整するための機構に関するものである。
【背景技術】
【０００２】多目的ホールにおける残響時間の調整は従来、客席の壁面や天井面の一部を回転あるいはスライドさせるなどして吸音面積の調整をおこなっていた。
【考案の開示】
【考案が解決しようとする課題】
【０００３】従来の残響時間調整機構では客席の壁面や天井面を直接、残響時間調整に使っていたため客席内の意匠は制約を受け、機構も複雑になり大幅な残響時間調整も困難であった。
【考案を解決するための手段】
【０００４】ホール内の天井面にガイドレールを設置し、そのガイドレールに沿って上下移動するパイプに吸音カーテンを吊り、モーターにより吸音カーテンを畳んだり伸ばしたりする。又、吸音カーテンは複数設置し、その各々が独立して畳み伸ばしが出来、また任意の位置で畳み伸ばしを止めることが出来るようにする。吸音カーテンの下部には金属製ルーバーによる仕上面を設ける。
【考案の効果】
【０００５】単純な機構により大面積の吸音面を細かく可変することが可能なため、クラシックコンサートからジャズコンサート、会議まで、広範囲な使用目的に対応した残響時間の設定が可能となる。
【考案を実施するための最良の形態】
【０００６】残響時間調整システムが無い状態で音響的に望ましい（ポリシリンダーによる乱反射天井面等）形状をつくり、その天井面に残響調整システムを設置する。
【実施例】
【０００７】三春交流館まほらホールにて実施した。
【図面の簡単な説明】
【０００８】
【図１】残響時間調整システムの断面図である。
【図２】吸音カーテンとルーバーの関係図である。
【図３】吸音カーテンの畳み伸ばし行程図である。
【符号の説明】
【０００９】　１　伸ばした状態の吸音カーテン
　２　畳んだ状態の吸音カーテン
　３　ガイドレール
　４　カーテン開閉用モーター
　５　ウエイト
　６　金属製ルーバー
　７　メンテナンス用階段
　８　横滑車
　９　反射天井面
１０　元滑車
【図１】
0003099618.tif 000003
【図２】
0003099618.tif 000004
【図３】
0003099618.tif 000005
(57)【要約】　　　（修正有）【課題】　コンクリートとの相性の悪い廃瓦を混ぜても、高い透水性とともに優れた強度を得ることができる高透水性敷きブロックを提供し、廃瓦の再利用を促進させる。【解決手段】　５〜１８ｍｍ径の砕石３が５００重量部に対して、５ｍｍ径以下の粉体を除去した６〜２０ｍｍ径の廃瓦粒２が３０〜５０重量部の配合割合とする。そして、固練りの水セメント比でセメントと前記砕石及び廃瓦粒とをミキシングして深さが６〜２０ｃｍのブロックに加圧形成させた多角形の高透水性敷きブロック１である。【選択図】　　　図１
0003099673.tif 000002
【実用新案登録請求の範囲】
【請求項１】
　５〜１８ｍｍ径の砕石が５００重量部に対して、５ｍｍ径以下の粉体を除去した６〜２０ｍｍ径の廃瓦粒が３０〜５０重量部の配合割合とし、固練りの水セメント比でセメントと前記砕石及び廃瓦粒とをミキシングして深さ６〜２０ｃｍの多角形ブロックに加圧形成させて成る廃瓦入り高透水性敷きブロック。
【請求項２】
　水セメント比が２０〜２５％の固練りセメントであり、空隙率１２〜２５％にした請求項１記載の廃瓦入り高透水性敷きブロック。
【考案の詳細な説明】
【技術分野】
【０００１】
　本考案は、道路や広場に敷いて用いる透水性を有するコンクリート製のブロックに関する。
【背景技術】
【０００２】
　従来、コンクリート製の各種ブロックが敷石に用いられている。
　一方、建替工事の増加にともなって、建築廃材の一部である廃瓦が大量に発生しているが、埋立処分地の減少により、廃瓦の処分先を探すのが困難となってきたため再利用して埋立量を減らそうとする試みがなされてきた。
　その再利用の簡便な方法として、砕いた廃瓦を骨材としてコンクリートへ混合させる方法が考えられるが、その利用方法は、砕いて発生する瓦粉体がコンクリートの強度低下を惹起させる欠点がある。そのため、一般的には強度を要する用途へのコンクリート製品への混合使用は敬遠されている。
【０００３】
　そのような中で、例えば、ブロックに骨材として廃瓦を混合させる方法が提案されている（特許文献１参照）。しかし、この方法では、用いる廃瓦は５ｍｍ以下の粉体状のものであり、その混合率を多くすると製品の強度を低下させる難点があり、そのため、必要な強度を確保しようとするとセメントを多量に混ぜなければならなかった。
【０００４】
　また、できたブロック製品に透水性をもたせようとしても、廃瓦粉体はセメントとともに骨材間の隙間を塞いでしまい、高い透水性を得るのが困難であった。
【特許文献１】特開平１１−１８１７０７号公報
【考案の開示】
【考案が解決しようとする課題】
【０００５】
　本考案は、コンクリートとの相性の悪い廃瓦を混ぜても、高い透水性とともに優れた強度を得ることができる高透水性敷きブロックを提供するものである。
【課題を解決するための手段】
【０００６】
　上記課題を解決するために、本考案は、５〜１８ｍｍ径の砕石が５００重量部に対して、５ｍｍ径以下の粉体を除去した６〜２０ｍｍ径の廃瓦粒が３０〜５０重量部の配合割合とし、固練りの水セメント比でセメントと前記砕石及び廃瓦粒とをミキシングして深さ６〜２０ｃｍの多角形ブロックに加圧形成して得られる廃瓦入り高透水性敷きブロックである。
【０００７】
　また、請求項２に記載の考案は、上記考案の構成において、水セメント比を２０〜２５％の固練りセメントにし、空隙率を１２〜２５％に構成したものである。
【考案の効果】
【０００８】
　本考案は以上のように、ブロックの骨材に５ｍｍ径以下粉体が混合されておらず、また砕石と廃瓦粒とセメントが適度に配合されるものなので、本来コンクリートとの相性の悪い廃瓦が混ぜられていても、高い透水性とともに優れた強度を持つことが可能となる。
　その透水性の性能は、表面に水を掛けると、その水は全く溜まらすに瞬時に透過して裏面に流れ落ちる程である。
　本考案はこのような廃瓦入り高透水性敷きブロックなので、その表面に雨水が溜まらないので自動車のスリップや人のスリップ転倒を防止することができる。
　また、表面はポーラス面なので、素材内に音を吸収するので吸音効果にも優れ、交通騒音の軽減にも役立つ。
　本考案の敷きブロックの使用量や用途が拡大すれば、既存家屋の解体などで大量に発生する建築廃材の瓦が多量に再利用でき、埋立処分量の減量化に寄与することになる。
【考案を実施するための最良の形態】
【０００９】
　以下本考案の廃瓦入り高透水性敷きブロックの実施の形態を詳しく説明する。
　本考案は、５〜１８ｍｍ径の砕石３が５００重量部に対して、網目選別で５ｍｍ径以下粉体を除去した６〜２０ｍｍ径の廃瓦粒２が３０〜５０重量部の割合に配合する。
　そして、その砕石３と廃瓦粒２にセメント４を固練りの水セメント比で混ぜてミキサーに入れミキシングする。
　そして、厚さ６〜２０ｃｍの多角形ブロック型枠に入れ、その型枠内でその表面１ａから加圧形成した後に脱型して自然乾燥させる。
　上記水セメント比は２０〜２５％とするとスランプ値（混練後型に入れて型崩れを起こす程度の数値）が「０」、即ち型崩れしない状態の固練りとなり、空隙率が１２〜２５％に形成される。
【００１０】
　このブロックは、厚さ６０〜２００ｍｍで、形状は１辺が１９０ｍｍ正六角形（図２参照）、２００ｍｍの正方形、縦２００、横４００ｍｍの長方形などが型により作られる。
　この正六角形のブロックは、６方向に突き付け張りでき、道路や広場に張り詰めて敷石として用いるのに最適であり、また傾斜面の張石としても適している。
【実施例１】
【００１１】
　道路用には強度の大きいものが適する。
　その混合量は次ぎの様である。
　　　５〜１８ｍｍ径の砕石　　　　　　　　　　　５００ｋｇ
　　　１５ｍｍ径（６〜２０ｍｍ範囲）の廃瓦粒　　　３０ｋｇ
　　　セメント　　　　　　　　　　　　　　　　　１４０ｋｇ
　　　水　　　　　　　　　　　　　　　　　　　　　３２Ｌ
　この道路用のブロックは相対的に破損しにくい砕石の量を多くしてあるので、車輪による負荷にも耐える強度となる。
【実施例２】
【００１２】
　また、広場用には道路用よりは強度が小さいものでも良い。
　その混合量は次ぎの様である
　　　５〜１８ｍｍ径の砕石　　　　　　　　　　　５００ｋｇ
　　　１５ｍｍ径（６〜２０ｍｍ範囲）の廃瓦粒　　　５０ｋｇ
　　　セメント　　　　　　　　　　　　　　　　　１５０ｋｇ
　　　水　　　　　　　　　　　　　　　　　　　　　３４Ｌ
　この公園用のブロックは廃瓦の消費を増すように廃瓦粒を増量したものである。
【産業上の利用可能性】
【００１３】
　本考案のコンクリート製のブロックは透水性を有するので主として道路や広場に敷いて用いられるが、傾斜法面の保護に敷設したり、優れた吸音効果があるので音響設計される建築物の床面、壁面などに利用することも可能である。
【図面の簡単な説明】
【００１４】
【図１】本考案の縦断側面図。
【図２】本考案のブロックを敷いた状態を示す斜視図。
【符号の説明】
【００１５】
　　１　　廃瓦入り高透水性敷きブロック
　　１ａ　ブロックの表面
　　２　　廃瓦粒
　　３　　砕石
　　４　　セメント
　　５　　空隙
【図１】
0003099673.tif 000003
【図２】
0003099673.tif 000004
(57)【要約】
【課題】　従来の靴では足のつま先部の関節で変形がある方には幅広の靴や伸縮性素材を使用し足入れを可能としています。幅広の靴は、足入れは可能ですが実寸の足サイズより大きいため歩行時に前後左右にズレて歩行が困難です。また、甲材に伸縮性素材を使用した場合も、靴内部で足を固定する事ができず、歩行が困難になります。
【解决手段】　足の中足骨から指が接触する部分の靴の甲表材６と甲裏材７の間に低負荷で変形可能な低反発スポンジ３を設け、中敷部４にも同じ低反発スポンジを設ける事により、足の指の全周囲をソフトに包み込む構造となり、関節の変形を締めつける事無く痛み等の問題もなく、歩行時においても足が靴内部でズレる事なくフィット感があり、普通の靴と同じ状態で歩行可能な靴を提案する。
【選択図】　図４
0003099691.tif 000002
【実用新案登録請求の範囲】
【請求項１】
　靴の前甲内側に中足骨からつま先まで足が接触する部分に低反発スポンジ３を設け、中敷部４にも低反発スポンジを有する靴１。
【考案の詳細な説明】
【産業上の利用分野】
【０００１】　本考案は外反母趾や内反小趾等のように足の指の変形がある方にでも、靴の前甲中間部に設けた低反発スポンジと中敷部４の低反発スポンジ４で足廻りをソフトに包み込む構造とする事により、外観は通常の靴の形状でありながら、着用時には痛みを緩和し足入れを可能とした靴の構造を提案するものである。
【背景技術】
【０００２】　従来、足のつま先部に変形がある方は、脛側中足点７と腓側中足点８の両方向の横幅の広い靴を使用したり、甲素材６及び甲裏材７に伸縮性素材を使用する事により足入れを可能としていました。また、中敷４に低反発スポンジを使用しているタイプは、運動や歩行時の足にかかる衝撃を吸収する目的のみで使用されている。
【本考案が解決しようとする問題点】
【０００３】　従来の靴では足の関節の変形がある方には幅広の靴や伸縮性素材を使用する事で足入れを可能としていますが、幅広の靴は、足入れは可能ですが実寸の足サイズより大きい為、歩行時に前後左右にズレて非常に歩行が難しく、また甲材に伸縮性素材を使用した場合も、歩行時に靴内部で足が固定されず歩行が困難です。
【問題点を解決する為の手段】
【０００４】　本考案は、上記のような問題点を解決する為に、足の指が接触する部分の靴の甲表材６と甲裏材７の間に低負荷で変形可能な低反発スポンジ３を設け、中敷部４にも同じ低反発スポンジを設ける事により、足の指全周囲をソフトに包み込む構造となり痛み等の問題も無く歩行時においても足が靴内部でズレる事もなくフィット感があり、通常の靴と同じ状態で歩行可能な靴を提案するものである。
【実施例】
【０００５】　次に本考案の実施例について図面に基づいて説明すると、図１は本考案の靴の１例を示す斜視図である。図２は、図１の前甲部分のＣ−Ｄ線断面図であり、甲部分は甲裏材５、低反発スポンジ３、甲裏材６の３層構造であり、中敷部４も、同じ低反発スポンジで構成される。図４は図１の靴着用時Ａ−Ｂ線であり、足の指が前甲部の甲裏材６及び、中敷部４と接触する構造となっている。【０００６】　次に本考案に使用される低反発スポンジの特徴について説明すると、低反発スポンジは反発弾性率が小さく、衝撃吸収効果のあるアクリル樹脂系スポンジ、シリコン系スポンジ、ウレタンスポンジ、ＥＶＡスポンジ等が使用可能であり、本考案の１実施例では、ＪＩＳＫ６４０１反発弾性試験において反発弾性率が０．２％で、硬度についても低硬度でＣ型硬度計で温度１０℃において２０のアクリル樹脂系スポンジを使用している。
低反発スポンジの厚みについては、足の指の変形の度合いと靴の構造から１〜１０ｍｍ厚が使用可能であり、足の指の変形が小さい場合は薄く、変形が大きい場合は厚くする事により変形の症状に合わせた調節が可能である。本考案の１実施例では、甲表材５と甲裏材６の間の低反発スポンジ３と中敷部４は、３ｍｍ厚の低反発スポンジを使用している。【０００７】　次に図２及び図４に基づいて、本考案で使用される低反発スポンジと足の指の接触について説明すると、図２において甲表材５と甲裏材６の間の前甲中間部に低反発スポンジを全周に接着剤で貼り合せて固定する事により足の指の上部と側面部が甲裏材６を介して間接的に低反発スポンジと接触し、足の指の裏側は中敷部４の低反発スポンジと接触する事により、足の指周り全てが低反発スポンジと間接的あるいは直接的に接触する構造となっている。
図４において、本考案の着用時における足の指の上部と裏側が低反発スポンジに間接的あるいは直接的に接触する構造となっている。
【本考案の効果】
【０００８】　以上のように本考案の靴は、甲表材５と甲裏材６の間に低反発スポンジで構成される前甲中間部３を設け中敷部４にも低反発スポンジを設ける事により、足の指の周囲をソフトに包み込むようになり、外反母趾やリウマチ等の症状に代表的な第１指と第５指の第２関節の変形や、第２指または、第３指の足裏付根部にタコが出来る等の関節の変形は、通常の靴では締め付けが強く足入れができない方でも足入れが可能な靴です。
【図面の簡単な説明】
【図１】本考案における実施例の斜視図
【図２】第１図のＡ−Ｂ断面図
【図３】足の平面図
【図４】第１図における靴着用時のＡ−Ｂ断面図
【符号の説明】
　　１．　靴
　　２．　本底
　　３．　前甲中間部
　　４．　中敷部
　　５．　甲表材
　　６．　甲裏材
　　７．　脛側中側点
　　８．　腓側中側点
【図１】
0003099691.tif 000003
【図２】
0003099691.tif 000004
【図３】
0003099691.tif 000005
【図４】
0003099691.tif 000006
(57)【要約】　　　（修正有）【課題】電気、電池等他の動力を使用せず、表面に刺激効果の高い起伏を施した球状体を自身の足の力で、足裏のツボを点的に絞り込むように自由自在にあらゆる方向から刺激を与えることができるマッサージ効果の高い足裏マッサージ器具を提供する。【解決手段】表面に刺激効果の高い起伏を施した刺激体を回転移動させやすい球状にして、刺激体が移動しやすい平ら、又は刺激を強化したい場合は起伏を施した平面的な基盤上に置いて、自身の足の力で球状刺激体を押しながら回転させることによって、足裏のツボにあらゆる角度からポイントを絞り込むように刺激を与えることができるマッサージ効果の高い足裏マッサージ器具とした。【選択図】図１
0003099699.tif 000002
【実用新案登録請求の範囲】
【請求項１】
表面にでこぼこ、突起、くぼみのような起伏を施し球状に加工した回転刺激体を平ら、又は表面にでこぼこ、突起、くぼみのような起伏を施した基盤の上に置き、その回転刺激体の上に足の裏を当てて自身の足の力で前後左右、斜め、円運動と自由自在に回転させいろいろな角度から足裏のツボにポイントを絞り込むような刺激を与えることができるマッサージ器具である。
【請求項２】
請求項１のマッサージ装置の回転刺激体にゴルフボールを使用して足裏のツボを刺激するマッサージ器具である。
【考案の詳細な説明】
【技術分野】
【０００１】
　本考案は、表面にでこぼこ、突起、くぼみのような起伏を施し球状に加工した回転刺激体を平ら、又は表面にでこぼこ、突起、くぼみのような起伏を施した平面的な基盤の上に置き、自身の足の裏で回転させ自由自在に動かし、足裏のツボにあらゆる角度からポイントを絞り込むような刺激を与える足裏マッサージ器具に関する。
【背景技術】
【０００２】
　従来のマッサージ器具においては、起伏を施し叩いたりさすったりする装置は多く有りますが面的なものはポイント刺激を与えにくく、ポイント刺激を与えることができる装置はポイントを絞り込むようなツボ刺激のできる足裏マッサージ器具はなかった。球状体で刺激を与える装置も有りますが、表面に刺激効果の高い起伏を施せば回転しにくくあらゆる角度からスムーズにツボ刺激を与えることはできにくい。
【特許文献１】登録実用新案第３０７７９２０号
【考案の開示】
【考案が解決しようとする課題】
【０００３】
　以上の従来技術によれば刺激効果が高くポイントを絞り込むようなツボ刺激ができなかった。そこで、この考案は気になるポイントを自由自在にあらゆる角度から自身の足の力で絞り込むようなツボ刺激を与えることを課題とする。
【課題を解決するための手段】
【０００４】
　以上の課題を解決するために請求項１の考案は、表面に刺激効果の高い起伏を施した刺激体を自由自在に動く球状にして自由自在に移動可能な平面的な基盤の上に置くことで、あらゆる方向からツボにポイントを絞り込むような刺激を与えることを特徴とする足裏マッサージ器具である。又、請求項２の考案は、球状の回転刺激体に重さ、大きさ、硬さ、表面の起伏の具合で適しており、現在数多く生産されているゴルフボールを使用することにより安価で提供できることを特徴とする足裏マッサージ器具である。
【考案の効果】
【０００５】
　この考案によれば、足の裏の気になるポイントを自由自在にいろいろな角度から自身の足の力で絞り込むように揉みほぐすことができるうえに、電気、電池など他の動力を必要としないので構造も簡単でどんなところでも持ち運んで使用できる足裏マッサージ器具を安価で提供できる。
【考案を実施するための最良の形態】
【０００６】
　表面を平ら、又は突起、くぼみ、溝等起伏を施した平面的な基盤上に表面を平ら、又は刺激を強化したい場合は突起、くぼみ、溝等起伏を施した球状体を置き、その球状体を自身の足の裏で押さえるように自由自在に移動させ、ポイントを絞り込むようにツボに刺激を与えることができると共に球状体が飛んでいかないように枠を設けた足裏マッサージ器具とする。
【実施例】
【０００７】
　この考案の一実施形態を図１、図２、図３、図４に示す。
【図面の簡単な説明】
【０００８】
【図１】（基盤の形状）四角形、（基盤の材質）木製合板、（緩衝体の材質）ゴム、（回転刺激体）ゴルフボール、（基盤裏滑り止め）ゴム、（回転刺激体の飛散止め）木製の場合の斜視図である。
【図２】図１の断面図である。
【図３】（基盤の形状）四角形、（基盤の材質）ゴム、（回転刺激体）ゴルフボール、（回転刺激体の飛散止め）ゴムの場合の斜視図である。
【図４】図３の断面図である。
【符号の説明】
【０００９】
　１　　回転刺激体
　２　　基盤
　３　　回転刺激体の飛散止め
　４　　緩衝体
　５　　滑り止め
【図３】
0003099699.tif 000003
【図４】
0003099699.tif 000004
【図１】
0003099699.tif 000005
【図２】
0003099699.tif 000006
(57)【要約】
【課題】荷物ケースにショルダーベルトを簡便に取付けて、階段などでの重い荷物の負担を軽減する。
【解決手段】荷物ケースに必ず装備されている取っ手を利用してショルダーベルトが掛けられるよう、ショルダーベルトとの連結具付き短ベルトを取付ける。
【選択図】図４
0003099700.tif 000002
【実用新案登録請求の範囲】
【請求項１】
適度な幅を持った繊維素材の両端に連結具を取付けた短ベルト。
【考案の詳細な説明】
【技術分野】
【０００１】
　本考案は、ショルダーベルトの無い荷物ケースの取っ手に取付けてショルダーベルトを連結可能にし、重い荷物の搬送の負担を軽減するものである。
【背景技術】
【０００２】
　荷物ケースにはショルダーベルトを掛けられない構造のものが多く、荷物が重いと階段の昇降などには相当な負担を強いられる
【考案の開示】
【考案が解決しようとする課題】
【０００３】
　荷物ケースの搬送途上で起こる荷物が重いが故に生じる負担を軽減する為に、ショルダーベルトをその荷物の取っ手を介して取付けることが出来るようにする。
【課題を解決するための手段】
【０００４】
　本考案は、荷物ケースの取っ手を損傷することなく、手で持たれる場合に近い荷重分布を取っ手に与えられるように適度な幅を持った繊維素材の短ベルトを取っ手に通して、その両端にショルダーベルトとの連結具を取付けておく。
【考案の効果】
【０００５】
　荷物の搬送途上で起こる、荷物が重いが故に生じる負担、特に階段の昇降時の負担軽減に役立つものと期待します。更に本案の取り扱いが極めて容易であることから、利便性が高く且つ効果も大である為、利用機会を高めるものとなる。
【図面の簡単な説明】
【０００６】
【図１】荷物ケースの外観の一例
【図２】本案の短ベルトの構成を表す
【図３】本案の使用方法を表す
【図４】本案とショルダーベルトの使用方法を表す
【符号の説明】
【０００７】
　１　　取っ手
　２　　短ベルト
　３　　連結具
　４　　掛け具
　５　　ショルダーベルト
【図１】
0003099700.tif 000003
【図２】
0003099700.tif 000004
【図３】
0003099700.tif 000005
【図４】
0003099700.tif 000006
(57)【要約】【課題】軽量でかつ、保管容積が小さく、保管時の荷重、運搬時の負荷等による変形がない、リサイクルが容易、廃棄コストが安い箱状体のバンド締付け用補強体を提供。【解決手段】補強体（１）は第１の板状部（２）と、第２の板状部（３）と、第１の板状部（２）と第２の板状部（３）の間に設けられた折り曲げ用の切欠き（５）と、で厚紙あるいは板紙等の紙板材によって形成されている。【選択図】図１
0003099696.tif 000002
【実用新案登録請求の範囲】
【請求項１】
箱状体のバンド締付け用補強体であって、該補強体は第１の板状部と、第２の板状部と、第１の板状部と第２の板状部の間に設けられた折り曲げ用の切欠きと、で紙板材によって形成されることを特徴とする箱状体のバンド締付け用補強体。
【考案の詳細な説明】
【０００１】
【考案が属する技術分野】
本考案は箱状体のバンド締付け用補強体に関するものである。
【０００２】
【従来技術】
図５は従来のバンド締付け用補強体１Ａが使用される状態を示している。
自動車部品等が封入された箱状体１０Ａに、全周にわたってバンド１２Ａが締付けられている。箱状体１０Ａは、バンド１２Ａの締付けによって縁部１１Ａが変形したり破損しないように、バンド締付けをする全ての縁部１１ＡにＬ状の補強体１Ａが被せられている。バンド１２Ａは、ＰＰ製バンドやスチールバンドが使用されている。
図６及び図７は、補強体１Ａを示していて、プラスチック材あるいは牛乳パック材積層で、第１の板状部２Ａと第２の板状部３Ａを曲部４が連結してＬ状に一体に形成されている。
【０００３】
上記のような従来の箱状体のバンド締付け用補強体１Ａでは、重量が大きい、平坦でなくＬ状のために収納が不便で保管容積が大きい、保管時の荷重、運搬時の負荷等による変形がある、リサイクル不能で廃棄のためのコストが嵩む、等の欠点があった。
【０００４】
【考案が解決しようとする課題】
解決しようとする問題点は、重量が大きい、保管容積が大きい、保管時の荷重、運搬時の負荷等による変形がある、リサイクルが困難、廃棄コストが高い等の欠点を除去した箱状体のバンド締付け用補強体を提供するにある。
【０００５】
【課題を解決するための手段】
本考案の箱状体のバンド締付け用補強体（１）は、第１の板状部（２）と、第２の板状部（３）と、第１の板状部（２）と第２の板状部（３）の間に設けられた折り曲げ用の切欠き（５）と、で紙板材によって形成されている（請求項１）。
【０００６】
本考案で使用される紙板材とは、スチールバンドの締付けでも傷がつかない程度に充分な固さを有し単体では折り曲げにくい板状の厚紙、板紙を指している。具体的な実施に際しては、第１の板状部と第２の板状部を一体に形成する紙板材の長方平板材を軸線に沿って切欠きを設けて平坦な補強体として保管し、実用時に切欠きに沿って折り曲げて、箱状体の直線状の縁部を補強するようにかぶせて配置し、その上からバンドで締付ける。
【０００７】
【考案の実施の形態】
図１及び図２において、本考案の一例である補強体１を示している。
補強体１は、紙板材である厚紙、あるいは板紙によって長方形に形成され、軸線Ｃを挟んで図においては上部に第１の板状部２があり、軸線Ｃの下部に第２の板状部３があり、軸線Ｃに沿って折り曲げ用の切欠き５が設けられて全体が形成されている。
【０００８】
補強体１の材質は、充分な固さを有し単体では折り曲げにくい厚さ（０．５〜５．０）ｍｍの紙板材で構成されていて、厚紙は（１５０〜４００）ｇ／ｍ２、板紙は（４００〜２０００）ｇ／ｍ２が好ましい。
【０００９】
補強体１の長さ及び幅寸は箱状体１の寸法によって異なるが、例えば長さＳは５０〜８０ｃｍ、第１及び第２の板状部２、５の幅Ｂ２、Ｂ３はそれぞれ５ｃｍ程度にしている。
切欠き５は、半切り（刃入れ）、筋押し、Ｖカットのいずれかで折り曲げが容易でかつ、折り曲げによって破断することのない適宜な深さに設けられている。
【００１０】
上記補強体１の作用例を、図４を参照して説明する。
最初に図１、２に示す補強体１を、図３のように切欠き５に沿って第１の板状部２、第２の板状部３を折り曲げる。
ついで、自動車部品であるバンパ２０が封入された箱状体１０の周囲４個所の縁部１１のそれぞれに、補強体１を配置する。図４においては例えば左側Ｌに４ケを配置する。
ついで、その補強体１の両端部近傍に、ＰＰバンドあるいはスチールバンド１２を被せて締付け固定する。
【００１１】
同様にして右側Ｒについても４ケの補強体１を周囲４個所の縁部１１のそれぞれに、補強体１を配置し、ＰＰバンドあるいはスチールバンド１２を被せて締付け固定する。
このようにして、箱状体１０の周囲４個所の縁部１１を補強体１によって補強し、ＰＰバンドあるいはスチールバンド１２の締付けによる箱状体１０の周囲の縁部１１の変形や破損を防止する。
【００１２】
なお、図においては箱状体１０の長さ方向に補強体１の各２個を縁部１１に被せて配置しているが、長さ方向に配置する補強体１の個数は箱状体１０の長さ及び補強体１の長さに応じて、例えば１個でも複数個でも適宜にきめてよい。
【００１３】
【考案の効果】
以上の本考案によれば、下記のすぐれた効果を奏する。
（ａ）　補強体が充分な固さを有する厚紙、板紙によって形成されているので、バンド締付けによる梱包、包装時に箱状体の縁部を変形あるいは破損させない利点がある。
（ｂ）　補強体は第１の板状部と、第２の板状部との間に折り曲げ用の切欠きを設けた平坦な状態に形成されているので、重ね置きができて保管場所が少ない利点がある。
（ｃ）　重ね置きで保管できて、変形がない利点がある。
（ｄ）　折り曲げ用の切欠きによって自在な角度に折り曲げができるので、４角箱だけでなく３角箱等にも適用できる利点がある。
（ｅ）　補強体を紙板材で形成するので、軽量、安価にできる利点がある。
（ｇ）　また、紙板材はリサイクルが容易で、廃棄の際も埋設あるいは焼却により容易にできる利点がある。
【図面の簡単な説明】
【図１】本考案の補強体の平面図である。
【図２】図１の側面図である。
【図３】図１、２の補強体を使用に際して切欠きで折り曲げた状態を示す斜視図である。
【図４】箱状体に本考案の補強体が使用される状態を示す斜視図である。
【図５】箱状体に従来の補強体が使用される状態を示す斜視図である。
【図６】従来の補強体の側面図である。
【図７】従来の補強体の平面図である。
【符号の説明】
１・・・補強体
２・・・第１の板状部
３・・・第２の板状部
５・・・切欠き
１０・・・箱状体（部品箱）
１１・・・縁部
１２・・・バンド
２０・・・梱包部品（バンパ）
【図１】
0003099696.tif 000003
【図２】
0003099696.tif 000004
【図３】
0003099696.tif 000005
【図４】
0003099696.tif 000006
【図５】
0003099696.tif 000007
【図６】
0003099696.tif 000008
【図７】
0003099696.tif 000009
(57)【要約】
【課題】　左官業などで使用される砂が凍結した場合に、その砂を溶かす解凍器を提供する。
【解決手段】　下方に開口部を有する箱型金属板１の一部に、着脱可能な熱風ダクト２を設け、別体に設ける熱風発生器３の熱風を送風する。
金属板１の上面に載せた凍結砂は、直接あたる熱風と、金属板１の表面が温まることによって、上下両面から解凍していく。
【選択図】　図１
0003099653.tif 000002
【実用新案登録請求の範囲】
【請求項１】
　下方に開口部を有する箱型金属板１の一部に、着脱可能な熱風ダクト２を設け、別体に設ける熱風発生器３の熱風を送風して金属板１の裏面を熱して、該金属板の上面に載せる凍結した砂を溶かす凍結砂の解凍器。
【考案の詳細な説明】
【技術分野】
【０００１】本考案は凍結した砂の解凍に関する。
【背景技術】
【０００２】　従来、凍結した砂は砂の上部のみからからバーナーなどの熱源で温め解凍していた。
【考案の開示】
【考案が解決しようとする課題】
【０００３】　これには、次のような欠点があった。
解凍に時間がかかり，冬期工事の遅滞の原因となっていた。
解凍しきれない砂は、捨てられ無駄が多かった。
本考案は、これらの欠点を除くためのものである。
【課題を解決するための手段】
【０００４】　下方に開口部を有する箱型金属板１の一部に、着脱可能な熱風ダクト２を設け、別体に設ける熱風発生器３の熱風を送風し金属板の裏面を熱して、該金属板の上面に載せる凍結した砂を溶かす。
【考案の効果】
【０００５】　従来の技術では、バーナーなどの熱源で凍結した砂の上部からのみ温めて解凍していたので、解凍までに時間がかなりかかっていた。この考案を実施すると、凍結砂の下方からも、温めるので解凍にかかる時間を短縮できる。
また、解凍しきれない凍結砂は、捨てられていたが、本考案を実施することによって、その無駄を無くすことができる。下方に開口部を有する箱型金属板１を車輌の荷台の大きさに合わせて造れば、常設使用が可能になる。
凍結砂の解凍が速まれば、冬期間の作業の効率化が、見込まれる。
【考案を実施するための最良の形態】
【０００６】　以下、本考案実施の最良の形態について説明する。
　下方に開口部を有する箱型金属板１の側面に、着脱可能な熱風ダクト２を設置する。金属板１の上に凍結した砂を載せ、ジェットヒーター３の熱風を送風し、熱風ダクト２から凍結した砂全体と、金属板１の裏面を温め、凍結した砂を解凍する。
【実施例】
【０００７】　以下、本考の実施の形態について説明する。
　下方に開口部を有する箱型金属板１の側面に、着脱可能な熱風ダクト２を設置する。金属板１の上に凍結した砂を載せ、別体に設ける熱風発生器３の熱風を送風し、熱風ダクト２から凍結した砂全体と、金属板１の裏面を温め、凍結した砂を解凍する。
【図面の簡単な説明】
【０００７】
【図１】断面図である。
【図２】断面図である。
【符号の説明】
【０００８】１　　下方に開口部を有する金属板
２　　着脱可能な熱風のダクト
３　　熱風発生器
４　　断熱材
【図１】
0003099653.tif 000003
【図２】
0003099653.tif 000004
(57)【要約】
【課題】　市販の飲料容器（缶や瓶など）に貼着されて使用され、特定の飲食の場の雰囲気を高揚させる小道具となる飲料容器用ラベルを提供すること。
【解決手段】　剥離紙３を剥いだ貼着層２で飲料容器に貼着されるラベル本体１の表面には、上段にイベント表示欄４を設け、中段にイベント結果表示欄５を設け、下段に文章書き込み欄６を設ける。このほか、上記各欄４、５、６をラベル本体１の表面に対して貼着剥離自在に設ける。
　イベント表示欄４には、イベントの表示を記載し、イベント結果表示欄５にはイベントの結果を記載し、文章書き込み欄６にはイベントに関連した文章を記載することにより、前記課題を解決しようとするものである。
【選択図】　図１
0003099657.tif 000002
【実用新案登録請求の範囲】
【請求項１】
　飲料容器に貼着するラベル本体の裏面の貼着層を剥離紙で被覆して成るラベルにおいて、
　前記ラベル本体の表面上段にイベント表示欄を設け、中段にイベント結果表示欄を設け、下段に文章書き込み欄を設けて成る飲料容器用ラベル。
【請求項２】
　前記イベント表示欄と、イベント結果表示欄と、文章書き込み欄とが、各個にラベル本体の表面に貼着剥離自在に配設されて成る請求項１記載の飲料容器用ラベル。
【考案の詳細な説明】
【技術分野】
【０００１】
　本考案は表示、広告、ラベルの分野に属し、主として市販の飲料容器（缶ビールや瓶ビールなど）に貼着して使用されるラベルに関する。
【背景技術】
【０００２】
　本考案出願人は先行技術としてラベル構造（実用新案登録第３０４２２１８号）を提案し、商標機能を有するラベルに特定の表示手段を付加して演出効果を期待した。このラベル構造は商標の構成内で該商標の特定部がラベル本体に貼着され、特定部の重畳されるラベル本体の個所に特定の表示が印刷されるものであるから、商標権者とのかかわりで使用に制約を受けるものであった。
【特許文献１】実用新案登録第３０４２２１８号公報
【考案の開示】
【考案が解決しようとする課題】
【０００３】
　本考案は消費者が購入する市販飲料容器に貼着されて商標とはかかわりなく、心を一つにした仲間の飲食の場で使用されてその場の雰囲気を高揚させる小道具となる飲料容器用ラベルを提供するものである。
【課題を解決するための手段】
【０００４】
　請求項１に記載した本考案の飲料容器用ラベルは、飲料容器に貼着するラベル本体の裏面の貼着層に剥離紙を設けたラベルにおいて、
　ラベル本体の表面上段にイベント表示欄を設け、中段にイベント結果表示欄を設け、下段に文章書き込み欄を設けて成る。
【０００５】
　請求項２に記載した本考案の飲料容器用ラベルは、請求項１に記載した本考案の飲料容器用ラベルにおいて、
　イベント表示欄とイベント結果表示欄と文章書き込み欄が、各個にラベル本体の表面に貼着剥離自在に配設されて成る。
【考案の効果】
【０００６】
　本考案の飲料容器用ラベルによれば、容器入り飲料は酒類、ジュース清涼飲料水に及び、対象イベントも多岐に渡って年間を通じて広範にあるのでこれに使用できる効果がある。また、各欄をシール状にして準備すれば、ラベル本体が共通に使用できるからその廃りもなく、経済的なコストで提供できる効果もある。
【考案を実施するための最良の形態】
【０００７】
　ラベル本体の表示面積は市販の飲料容器の外面半円周内の寸法を幅寸法とされ、高さは缶用、瓶用別などで適宜に選択され、ラベル本体の表面に表示されるイベント表示欄、イベント結果表示欄（名称としてはイベント評価欄などでもよい。）、文章書き込み欄は、ラベル表面に一体に印刷などで表示されるものを最良とし、このほか、各欄がラベル表面に貼着剥離自在に配設されるものも選択される。また、ラベル本体に対する各欄の表示順序は入れ違っても、本考案の技術思想の主旨は左右されない。
【実施例】
【０００８】
　本考案を実施例により説明すると、図１に示すように飲料容器用ラベルａは、市販の飲料容器（缶や瓶など）の外面半円周内の寸法を幅寸法約７ｃｍ高さ寸法約7ｃｍのラベル本体１の裏面に貼着層２を設け、貼着層２の外面には剥離紙３を被覆し、表面には上段に「２００３年ペナントレース　セリーグ」としたイベント表示欄４を設け、中段には「優勝」というイベント結果表示欄５を設け、下段には「おおきに！！星野監督…」などの文章書き込み欄６を設けて成る。
【０００９】
　このようにして成る飲料容器用ラベルａは、図２に示すように缶ビール７の外面要所に剥離紙３を除去して貼着され、応援団やファングループなどの祝勝会用として使用される。
　図３に示すものは飲料容器用ラベルａを瓶ビール８に使用した例で前記同様に使用される。
　図４に示す飲料容器用ラベルｂは、裏面の貼着層２を剥離紙３で被覆したラベル本体１において、表面上段のイベント表示欄４と中段のイベント結果表示欄５と下段の文章書き込み欄６とは各個に貼着剥離自在となっている。ラベル本体１に対して各欄４、５、６は表示内容を選択できるからシール印刷部門を刺激する。
　なお、各実施例での文章書き込み欄６には、「おおきに！！星野監督」に続けて讃辞や思いなどが受注印刷で表示されるのである。
【００１０】
　本考案で想定したイベントはプロ野球のペナントレース、サッカーのＪリーグ、各種の祭、見本市のほか、勲賞や褒賞などの祝宴などである。イベント結果としては、ペナントレースでは優勝であり、見本市などの催し物では総理大臣賞や大臣賞などであり、勲賞では菊花、旭日、宝冠などの賞牌名であり、褒賞では紅綬、緑綬……紫綬などの褒章名などである。文章書き込み欄６には各イベントのイベント結果に対応した讃辞や感想などが印刷される。
【産業上の利用可能性】
【００１１】
　本考案はイベントにつきものの飲食の場を盛り上げるものであるから、飲料業界を活性化させ、シールなどの印刷業界での利用効果がある。
【図面の簡単な説明】
【００１２】
【図１】本考案に係る飲料容器用ラベルａの一部を破断した正面図。
【図２】本考案の飲料容器用ラベルａを缶ビールの缶に貼着した使用説明図。
【図３】本考案の飲料容器用ラベルａを瓶ビールの瓶に貼着した使用説明図。
【図４】本考案に係る飲料容器用ラベルｂの正面図。
【符号の説明】
【００１３】
　１　ラベル本体
　２　貼着層
　３　剥離紙
　４　イベント表示欄
　５　イベント結果表示欄
　６　文章書き込み欄
　７　缶ビール
　８　瓶ビール
　ａ、ｂ　飲料容器用ラベル
【図１】
0003099657.tif 000003
【図２】
0003099657.tif 000004
【図３】
0003099657.tif 000005
【図４】
0003099657.tif 000006
(57)【要約】
【課題】会員カードしか収納できなかったカードケースを割引券・スタンプ券・記録簿等もきれいに収納できるとともに、使用時に一目で分かるようにする。
【解決手段】カードケースを手帳型にして透明な各種収納ポケットを中に１１コ付けて各ポケットに会員カード・サービス券・スタンプ券・記録簿等を整理して収納し、使用時に必要な物をすぐ取り出せる。
【選択図】図２
0003099654.tif 000002
【実用新案登録請求の範囲】
【請求項１】
手帳型カードケースに各種ポケットを設け、会員カード・割引券・スタンプ券・記録簿等を収納するための透明なポケットを１１コ設けて、整理して収納できることを特徴とする手帳型メンバーカードケース
【考案の詳細な説明】
【考案の詳細な説明】
【考案が解決しようとする課題】
【０００１】従来のメンバーカードケースではサービス券などを各種収納できないという問題点を有していた。
【課題を解決するための手段】
【０００２】手帳型として中を開くと各種収納ポケットに会員カード・割引券・スタンプ券・記録簿等を整理してきれいに収納できる。
【考案の効果】
【０００３】使用する時に必要な物が一目ですぐ取り出せオリジナリティ・ファッション性があり使用者のリピート率が高く会員固定化を促進する。
【図面の簡単な説明】
【図１】手帳型メンバーカードケースを閉じた状態の図である。
【図２】手帳型メンバーカードケースを開き１ページ・２ページの状態の図である。
【図３】手帳型メンバーカードケースを開き１１ページ・１２ページの状態の図である。
【図４】手帳型メンバーカードケースを全部開いて上からの状態の図である。
【符号の説明】
１　会員カード用ポケット
２　割引券用ポケット
３　スタンプカード・記録簿等用ポケット
【図１】
0003099654.tif 000003
【図２】
0003099654.tif 000004
【図３】
0003099654.tif 000005
【図４】
0003099654.tif 000006